(57)【特許請求の範囲】
【請求項１】
シェル（５）に、このシェル（５）の前面開口部の下端部に位置する引き下げ位置と、該前面開口部の上方に位置する少なくとも１つの持ち上げ位置との間で回動可能に取り付けられている顎ガード（４）と、
この顎ガード（４）を、前記少なくとも１つの持ち上げ位置に解除可能にロックするための少なくとも１つのロッキング装置とを備えているタイプの安全ヘルメットであって、
前記少なくとも１つのロッキング装置は、前記顎ガードと一体に回動可能な少なくとも１つのフォロワ（３）と、
少なくとも１つの自由度を有して、前記シェル（５）に拘束されており、かつ前記顎ガード（４）の持ち上げ位置の少なくとも近傍において、前記少なくとも１つのフォロワ（３）に係合するように作られている、対応する少なくとも１つの抑止部材（１）とを備えているか、または、
少なくとも１つの自由度を有して、前記シェル（５）に拘束されている少なくとも１つのフォロワ（３）と、
前記顎ガードと一体に回動可能であり、かつ前記顎ガード（４）の持ち上げ位置の少なくとも近傍において、前記少なくとも１つのフォロワ（３）に係合するように作られている、対応する少なくとも１つの抑止部材（１）とを備えており、
前記少なくとも１つのロッキング装置は、さらに、前記少なくとも１つの抑止部材（１）の位置・運動の手動調節手段（２）を備えている安全ヘルメットにおいて、
前記少なくとも１つの抑止部材（１）は、前記顎ガード（４）が前記持ち上げ位置、またはその近傍にあるときに、固着している部材とは対照的に、前記少なくとも１つのフォロワ（３）をロックしている少なくとも１つのロッキング位置と、前記少なくとも１つのフォロワ（３）が抑止部材（１）から脱係合している少なくとも１つの脱係合位置との間を移動可能であり、
前記シェル（５）は、台座部（６）を備えており、
前記少なくとも１つの抑止部材（１）の位置・運動の手動調節手段（２）は、前記抑止部材（１）が、固定部分と協働して、前記少なくとも１つのフォロワ（３）を、前記少なくとも１つのロッキング位置に安定して保持することを可能にするか、または阻止するようになっており、
前記少なくとも１つのフォロワ（３）が、前記台座部（６）のくぼみの側壁と、前記少なくとも１つの抑止部材（１）の側壁との間に受容され、前記台座部（６）のくぼみの側壁に沿って移動するものであって、
前記少なくとも１つの抑止部材（１）の位置・運動の手動調節手段（２）が、前記台座部（６）の側壁と前記少なくとも１つの抑止部材（１）とのクリアランスを調整するためのものであることを特徴とする安全ヘルメット。
【請求項２】
前記少なくとも１つの抑止部材（１）は、前記顎ガード（４）が前記持ち上げ位置、またはその近傍にあるときに、前記少なくとも１つのフォロワ（３）が不安定に係合する少なくとも１つの支持位置に移動可能であり、前記少なくとも１つの抑止部材（１）の位置・運動の手動調節手段（２）は、前記少なくとも１つの抑止部材（１）を、前記少なくとも１つのフォロワ（３）が不安定に係合している前記少なくとも１つの支持位置に一時的にとどまらせることができるようになっていることを特徴とする、請求項１に記載の安全ヘルメット。
【請求項３】
前記少なくとも１つの抑止部材（１）は、前記少なくとも１つのフォロワ（３）を安定して支持するための少なくとも１つの第１の部分（Ａ）を有しており、この少なくとも１つの第１の部分（Ａ）は、前記少なくとも１つの抑止部材（１）が前記ロッキング位置に保持されているときに、固着している部材とは対照的に、前記少なくとも１つのフォロワ（３）と係合することを特徴とする、請求項１または２に記載の安全ヘルメット。
【請求項４】
前記少なくとも１つの抑止部材（１）は、前記少なくとも１つのフォロワ（３）を、外力の影響を受けやすく支持するための少なくとも１つの第２の部分（Ｂ）を有しており、かつ前記少なくとも１つの抑止部材（１）は、前記顎ガード（４）が前記持ち上げ位置、またはその近傍にあるときに、前記少なくとも１つのフォロワ（３）は、前記少なくとも１つの第２の部分（Ｂ）上に不安定に係合する前記少なくとも１つの支持位置に移動可能であり、かつ前記少なくとも１つの抑止部材（１）の位置・運動の手動調節手段（２）は、前記少なくとも１つの抑止部材（１）を、前記少なくとも１つのフォロワ（３）が不安定に係合している前記支持位置に一時的にとどまらせることができるようになっていることを特徴とする、請求項１、２または３に記載の安全ヘルメット。
【請求項５】
前記少なくとも１つの抑止部材（１）の位置・運動の手動調節手段（２）は、前記少なくとも１つの抑止部材（１）が、固着している部材とは対照的に、前記少なくとも１つのフォロワ（３）と不安定に係合している前記少なくとも１つの支持位置と、前記少なくとも１つのフォロワ（３）をロックしている前記少なくとも１つのロッキング位置との間で運動することを可能にし、かつこの手動調節手段（２）は、前記少なくとも１つの抑止部材（１）が、固着している部材とは対照的に、前記支持位置から前記ロッキング位置へ、および前記ロッキング位置から前記支持位置へ自由運動するのを防止するようになっていることを特徴とする、請求項２に記載の安全ヘルメット。
【請求項６】
前記少なくとも１つのフォロワ（３）は、この少なくとも１つのフォロワ（３）に対する少なくとも１つの上方リミットストップ面（６ａ）を備えるガイド（６ｂ）内を、前記シェル（５）と相対的にスライドすることを特徴とする、請求項２〜４のいずれか１つに記載の安全ヘルメット。
【請求項７】
前記少なくとも１つのフォロワ（３）は、前記ガイド（６ｂ）の少なくとも１つの上方リミットストップ面（６ａ）に接しているとき、前記少なくとも１つのフォロワ（３）と前記少なくとも１つの抑止部材（１）との間に、いくらかのクリアランスが存在していることを特徴とする、請求項６に記載の安全ヘルメット。
【請求項８】
前記少なくとも１つの抑止部材（１）の位置・運動の手動調節手段（２）は、前記少なくとも１つの抑止部材（１）を、固着している部材とは対照的に、前記少なくとも１つのフォロワ（３）をロックする前記少なくとも１つのロッキング位置に復帰させるための少なくとも１つの復帰ばね（２．４）を備えていることを特徴とする、請求項１〜７のいずれか１つに記載の安全ヘルメット。
【請求項９】
前記少なくとも１つの抑止部材（１）のための前記少なくとも１つの復帰ばね（２．４）は、前記少なくとも１つの抑止部材（１）の、前記少なくとも１つのフォロワ（３）から脱係合する前記少なくとも１つの脱係合位置に向かう運動に抗することを特徴とする、請求項２および８に記載の安全ヘルメット。
【請求項１０】
前記少なくとも１つの抑止部材（１）は、前記シェル（５）に回動可能に取り付けられていることを特徴とする、請求項１〜９のいずれか１つに記載の安全ヘルメット。
【請求項１１】
前記少なくとも１つの抑止部材（１）の位置・運動の手動調節手段（２）は、前記シェル（５）に回動可能に取り付けられている制御部材（２．２）、およびこの制御部材（２．２）と一体に回動可能であり、かつ前記少なくとも１つの抑止部材（１）に形成されているガイド（１．１）に係合しているストライカ（２．１）を備えていることを特徴とする、請求項１０に記載の安全ヘルメット。
【発明の詳細な説明】
【技術分野】
【０００１】
本発明は、シェルに回動可能に取り付けられており、ユーザによって、シェルの前面開口部の下端まで引き下げられ、また必要に応じて、前面開口部の上方まで持ち上げられる顎ガードを備えるタイプの、オートバイでの使用に適した安全ヘルメットに関する。
【背景技術】
【０００２】
オートバイの分野において、シェルと一体の顎ガードを備えている従来の一体型ヘルメット、および顎ガードを備えていない、いわゆる「ジェット」ヘルメットとともに用いられるようになっている安全ヘルメットは、通常、ユーザの顔の下部を保護するための位置に、すなわち、引き下げ位置に顎ガードを解除可能に固定するためのメカニズムを具備している。顎ガードは、衝撃が加えられた場合にも、ずっとその位置に確実に位置していなければならない。
【０００３】
簡単な一形態として、引き下げ位置に顎ガードを解除可能に固定するためのこのようなメカニズムは、例えば顎ガードに回動可能に取り付けられた弾性的なフックを備えていてもよい。この弾性的なフックに連結されており、かつ手動制御によって操作される連結棒または支柱を操作することによって、ユーザは、弾性的なフックを、ヘルメットのシェルに備えられたストライカとの係合位置、および／または脱係合位置に置くことができる。しかし、このようなメカニズムにおいては、顎ガードが持ち上げ位置にあるときに、通常、顎ガードは、安定よく固定されることはない。
【０００４】
すなわち、上述のような安全ヘルメットにおいて、いわゆる一体型ヘルメットと同様の機能を有するヘルメットを得るために、ユーザは、顎ガードがユーザの顔を保護する引き下げ位置において、効果的に機能するヘルメットを用いる必要がある。
【０００５】
しかしながら、実際には、「ジェット」タイプのヘルメットと同様の機能を有するヘルメットを得るために、顎ガードを持ち上げ位置に維持することが、有用または必要である場合がある。
【０００６】
このことに関して言及すると、顎ガードを引き下げ位置に固定する上述のメカニズムだけではなく、ユーザの制御によって、持ち上げ位置においても、顎ガードを解除可能にロックするための装置を有するタイプの、持ち上げ可能な顎ガードを有するヘルメットが、従来技術として公知である。
【０００７】
顎ガードを持ち上げ位置に解除可能にロックするための装置は、単純化された一形態において、顎ガードがその持ち上げ位置の近傍にあるときのみ、顎ガードと係合するように、シェル上に配置された弾性的な留め具を備えていてもよい。この弾性的な留め具は、ユーザが、顎ガードに、その弾性的な留め具を一時的に変形させるのに十分な力を加え、それによって、顎ガードの回転の再開を可能にしない限り、通常の状態においては、顎ガードが回転しないようになっている。
【０００８】
例えばラクロア（Ｌａｃｒｏｉｘ）による特許文献１は、シェルに形成されており、かつ横方向に、部分的に突き出た弾性突起を内部に備えている円弧状の案内溝を有する、顎ガードを持ち上げ位置にロックするための装置を開示している。顎ガードは、案内溝内にスライド可能に結合している突起物、すなわちフォロワを備えている。このフォロワは、顎ガードの持ち上げ中または引き下げ中、シェルに形成されている円弧状の案内溝内を移動する。弾性突起は、顎ガードが、その最も高い持ち上げ位置の近傍にあるときに、顎ガードのフォロワにぶつかり、それによって、弾性的に変形しやすい留め具として働くように、円弧状の案内溝内に配置されている。
【０００９】
ユーザが、このような弾性突起を一時的に変形させることができる力を加えたときだけ、フォロワは、顎ガードと一体になって、弾性突起を通り越し、顎ガードの最も高い持ち上げ位置に対応するように、案内溝によって定められているリミットストップに到達することができる。対抗力がない状態で、フォロワがそのようなリミットストップ位置に到達すると、弾性突起は、顎ガードを、その最も高い持ち上げ位置に保持することができる。
【００１０】
同様に、ロカテリ（Ｌｏｃａｔｅｌｌｉ）によって出願されている特許文献２は、顎ガードの内壁に一体化された弾性突起を有する、持ち上げ可能な顎ガードを備えた安全ヘルメットを開示している。この弾性突起は、顎ガードがその持ち上げ位置の近傍にあるときに、シェルに形成されている相補的な台座部に係合することができる。弾性突起の、相補的な台座部への係合または脱係合は、ユーザが、弾性突起に、弾性変形を生じさせるのに十分な力を及ぼしたときにのみ生じる。
【００１１】
顎ガードと一体化された剛体素子に対する、シェルに一体化された弾性変形可能な素子による抗力、またはその逆に、このようなタイプの装置においては、顎ガードに対して偶発的な力が及ぼされると、その力は、それほど大きくなくても、持ち上げ位置への顎ガードのロッキングを解除して、顎ガードを、望ましくない落下をさせるのに十分である。そのため、このような装置は、容易に組み立てられ、また得ることができるが、顎ガードを、その持ち上げ位置に保持するには、あまり有効ではないことは明らかである。
【００１２】
実際、当業者には明らかなように、弾性変形可能な素子の剛性が高すぎると、偶発的に加えられた力による、顎ガードの突然の落下の発生は防止されるが、顎ガードが持ち上げ位置にあり、かつ顎ガードを解除可能にロックする上述の装置によって保持されているときに、顎ガードの持ち上げ／引き下げステップにおいて、ユーザが弾性変形可能な素子によって及ぼされる力に打ち勝つことは困難である。また顎ガードの引き下げの場合には、ユーザによって及ぼされる力が十分に大きいと、弾性変形可能な素子の剛性が高いために、ヘルメット（顎ガードと一体化されている）の望ましくない下方への回転、または顎ガードの突然の望ましくない落下が生じることがあるので、弾性変形可能な素子の剛性を、十分に高くすることは不可能である。
【００１３】
シャーク（Ｓｈａｒｋ）社によって出願されている特許文献３には、回動可能な顎ガードを有するヘルメットにおいて、顎ガードを、その持ち上げ位置に解除可能に、回転することなくロックするための、ユーザによって制御される別の装置が開示されている。
【００１４】
特許文献３に開示されているこの装置によれば、顎ガードは、回転可能で、かつスライド可能な拘束体（すなわちスライダ）を介して、シェルに結合されており、顎ガードの持ち上げ、および引き下げの操作中、顎ガードの運動および位置は、シェルに形成されている案内溝に係合している顎ガードと一体のフォロワによって定められる。
【００１５】
案内溝の形状は、顎ガードが、シェルの前面開口部に比して、シェル上の極めて後方の位置に到達することができるような形状である。案内溝は、さらに、フォロワのためのいくつかのリミットストップを備えており、ユーザが、顎ガードに複雑な回転／並進運動を行わせることなく、顎ガードを各リミットストップから移動させることを阻止している。
【００１６】
このような装置は、単純で、また顎ガードを持ち上げ位置にロックするためには有効であるが、ユーザが、不自然で、かつ実行することが困難な方向およびやり方で、顎ガードに力を及ぼすことを余儀なくさせる。さらに、顎ガードがあらかじめ持ち上げ位置にロックされていない限り（回転させられていない限り）、このような装置は、顎ガードを一時的な持ち上げ状態にすることはできない。
【先行技術文献】
【特許文献】
【００１７】
【特許文献１】米国特許第６２４９９１８号公報
【特許文献２】ヨーロッパ特許公開第０８９５７２６号公報
【特許文献３】国際公開第ＷＯ０６／０４５９１２号公報
【発明の概要】
【発明が解決しようとする課題】
【００１８】
本発明は、上述の従来技術の欠点を克服した、顎ガードを持ち上げ位置にロックするための装置を具備するタイプの、回動可能な顎ガードを有する安全ヘルメットを提供することを１つの目的としている。
【００１９】
また本発明は、ユーザが望むときだけ、顎ガードを持ち上げ位置に効果的にロックすることができるとともに、ユーザが容易に操作することができる、顎ガードを持ち上げ位置にロックするための装置を具備する、回動可能な顎ガードを有する安全ヘルメットを提供することを、さらなる目的としている。
【００２０】
本発明は、ユーザの判断において、安定なロッキングと、外力の影響を受けやすいロッキングとの両方を可能にする、すなわち、容易かつ実際的に製造・実装されるただ１つの弾性的な抑止部材または摩擦性の抑止部材が、顎ガードの運動に抗するか、または不安定な支持を与えるタイプの、顎ガードを持ち上げ位置にロックするための装置を備えた、回動可能な顎ガードを有する安全ヘルメットを提供することを、さらなる目的としている。
【課題を解決するための手段】
【００２１】
これらの目的およびそれ以外の目的は、本発明の独立請求項、およびそれに続く従属請求項に記載の回動可能な顎ガードを有する安全ヘルメットによって達成される。
【００２２】
本発明による安全ヘルメットは、シェルに、シェルの前面開口部の下端部に位置する引き下げ位置と、前面開口部の上方に位置する少なくとも１つの持ち上げ位置との間で回動可能に取り付けられている顎ガードと、顎ガードを、この少なくとも１つの持ち上げ位置に解除可能にロックするための少なくとも１つのロッキング装置とを備えている。このロッキング装置は、顎ガードと一体に回動可能な少なくとも１つのフォロワと、少なくとも１つの自由度を有して、シェルに拘束されており（好ましくはヒンジされており）、かつ顎ガードの持ち上げ位置の少なくとも近傍において、この少なくとも１つのフォロワに係合するように作られている、対応する少なくとも１つの抑止部材とを備えているか、または、少なくとも１つの自由度を有し、かつシェルに拘束されている少なくとも１つのフォロワと、顎ガードと一体に回動可能であり、かつ顎ガードの持ち上げ位置の少なくとも近傍において、この少なくとも１つのフォロワに係合するように作られている、対応する少なくとも１つの抑止部材とを備えている。
【００２３】
このロッキング装置は、さらに、抑止部材の位置、および／または運動の手動調節手段を備えている。本発明によれば、抑止部材は、顎ガードが持ち上げ位置、またはその近傍にあるときに、固定部分と協働して、フォロワをロックしている少なくとも１つのロッキング位置と、フォロワが抑止部材から脱係合している少なくとも１つの脱係合位置との間で移動可能であると有利である。さらに、抑止部材の位置、および／または運動の手動調節手段は、抑止部材が、固定部分と協働して、フォロワを、ロッキング位置に安定して保持することを可能にするか、または阻止する。
【００２４】
弾性領域を有しない固定部分と協働して、顎ガードを、その持ち上げ位置に解除可能に拘束するように作られた成形体（いわゆる抑止部材）を用いることによって、望ましくない力が顎ガードに及ぼされている場合にも、顎ガードを、その持ち上げ位置に、安定して保持することが可能になる。安定したロッキング位置を、得るように、抑止部材を作動させるための手段を用いることによって、さらに、ユーザは、顎ガードをその持ち上げ位置にロックするためのロッキング装置を、簡単かつ自由に操作することができるようになる。
【００２５】
本発明の好適な一態様によれば、抑止部材は、顎ガードが持ち上げ位置、またはその近傍にあるときに、フォロワが不安定に係合する支持位置に移動可能である。抑止部材の位置、および／または運動の手動調節手段は、抑止部材を、フォロワが不安定に係合している支持位置に一時的にとどまらせることができる。
【００２６】
フォロワを一時的に保持するために、例えば抑止部材の一部分に弾性を与えることによって、または抑止部材を弾性体にすることによって、または高摩擦性にすることによって、またはフォロワのための不安定な支持面を設けることによって、抑止部材とフォロワとの間に不安定な支持が行われる、抑止部材のそのような位置、すなわち、顎ガードに過度の力が及ぼされた場合には損なわれてしまう位置が、さらに存在することによって、ユーザは、顎ガードを持ち上げ位置に安定してロックさせるのか、それとも一時的にロックさせるだけなのかのいずれかを選択することができる。
【００２７】
本発明のさらなる一態様によれば、抑止部材は、さらに、フォロワを安定して支持するための少なくとも１つの第１の表面部分を有しており、この第１の表面部分は、抑止部材が、抑止部材の位置、および／または運動の手動調節手段によってロッキング位置に保持されているときに、固定部分と協働して、フォロワと係合する。抑止部材は、さらに、フォロワを外力の影響を受けやすく支持するための少なくとも１つの第２の表面部分を有しており、この第２の表面部分は、抑止部材の位置、および／または運動の手動調節手段が、抑止部材を、フォロワが不安定に係合する支持位置に位置させたときに、不安定かつ外力の影響を受けやすく、フォロワと係合する。
【００２８】
上述の実施形態において、抑止部材の位置、および／または運動の手動調節手段が、抑止部材を、フォロワからの脱係合位置に移動させるときに、その手動調節手段に属しており、かつ例えば抑止部材とヘルメットのシェルとの間に配置されている適切な復帰ばねによって、抑止部材には、弾性的な影響が及ぼされる。
【００２９】
以下により詳細に説明する実施形態によれば、顎ガードの持ち上げ位置において、抑止部材を、外力の影響を受けやすい支持位置と、解除可能なロッキング位置とのどちらにも、ユーザによる手動操作によって、容易に位置させることができ、かつ顎ガードを持ち上げ位置にロックするための装置を、容易かつ効果的に得ることができる。
【図面の簡単な説明】
【００３０】
【図１】本発明の好適な一態様による、回転する顎ガードを有する安全ヘルメットの側面図である。
【図２】図１のヘルメットに使用可能な、顎ガードを持ち上げ位置に解除可能にロックするための、本発明の一態様による装置の分解側方斜視図である。
【図３】顎ガードが持ち上げ位置に安定してロックされているときの、図２の装置の略側面図である。
【図４】顎ガードが持ち上げ位置に外力の影響を受けやすく支持されているときの、図２の装置の略側面図である。
【図５ａ】図２の装置における抑止部材の側面図である。
【図５ｂ】図５ａの抑止部材の運動、および／または位置の手動調節手段の側面図である。
【図６】顎ガードが持ち上げ位置において安定してロックされているときの、図３の装置の拡大側面図である。
【図７】顎ガードが持ち上げ位置において不安定に係合しているときの、図３の装置の拡大側面図である。
【発明を実施するための形態】
【００３１】
例示のためのものであって、限定することを目的にしていない、本発明の好適な実施形態を、添付図面を参照して、以下に説明する。
【００３２】
図１に示すように、図示されている、本発明の一態様による安全ヘルメットは、ユーザが被ることができるように、下方にも開いている前面開口部を備えたシェル５、およびシェル５の前面開口部の両側端の近傍で、回転中心Ｃ２において、シェル５の２つの側部にヒンジされた顎ガード４を有するタイプのものであり、オートバイでの使用に特に適している。
【００３３】
当技術分野において公知のように、ユーザに最適な外部視界を与えるとともに、空気流、および／または空気中を流れているかもしれない微分子から、ユーザの顔を保護する働きをする、ユーザのための少なくとも１つの適切なバイザー１０が、顎ガード４にヒンジ止めされる（図１の回転中心Ｃ３において）場合もある。
【００３４】
従来技術によれば、顎ガード４およびシェル５は、顎ガード４がシェル５の前面開口部の下端に位置する引き下げ位置（ユーザの顔の保護が得られる）と、顎ガード４が前面開口部に重ならない、少なくとも１つの持ち上げ位置との間で、手動で顎ガード４を回転させることができるようになっている。
【００３５】
顎ガード４とシェル５とは、公知のように、顎ガード４がその引き下げ位置にあるときに、シェル５の下端近傍の部分と顎ガード４とが接し、かつ顎ガード４がユーザの前方視野を妨害したり、制限したりしない、少なくとも１つの持ち上げ位置を取りうるように、両者が連結することができるような幾何的形状を有している。
【００３６】
公知のように、顎ガード４が、ユーザの顔を保護するために引き下げ位置にあるときに、顎ガード４が偶発的に動くことを防止するために、顎ガード４は、引き下げ位置において、自身をシェル５に解除可能に固定するためのメカニズム（図示せず）を備えている。
【００３７】
本明細書に示す安全ヘルメットは、さらに、持ち上げ位置において、顎ガード４を解除可能にロックするための２つの部材を備えている、すなわち、各図に示すように、安全ヘルメットのシェル５に対して１つの自由度しか有しないように制約されている抑止部材１と、顎ガード４と一体に回動可能な、対応するフォロワ３とを備えている（例えば図２を参照）。さらにこの安全ヘルメットは、抑止部材１を、固定部分との協働によって、抑止部材１へのフォロワ３（したがって顎ガード４）を安定良くロックする少なくとも１つのロッキング位置と、フォロワ３が顎ガード４と一体になって自由に回転することができる、フォロワ３と係合していない少なくとも１つの脱係合位置とに位置させることができる、抑止部材１に対する位置、および／または運動の手動調節手段２を備えている。
【００３８】
本発明の実施形態においては、抑止部材１は、例えば図５ａ、図６および図７に示すように、適切な台座部６のくぼみ内で、回転中心Ｃ1が位置する端部においてシェル５にヒンジされている、縦長のカム形状のボディ1.2から成っており、一方、フォロワ３は、少なくとも、顎ガード４が持ち上げ位置の近傍に位置しているときに、抑止部材１のボディ1.2の側面の少なくとも一部分、具体的には、抑止部材１の、回転中心Ｃ1の反対側の上部表面部分に係合するのに適した位置において、顎ガード４の側端部分から内側に突き出た円柱体から成っている。
【００３９】
本明細書における、本発明の実施形態においては、抑止部材１とフォロワ３との回転中心Ｃ1とＣ2とは互いに異なるから、抑止部材１とフォロワ３とは、相異なる円軌道を描くことに留意されたい。しかし、それらの円軌道は、多点で交差し、および／または１つの点で接するように設計されている。
【００４０】
抑止部材１に１つの自由度を与えることによって、抑止部材１がフォロワ３の円軌道と交差するか、および接することが可能になる、いかなる他の手段や構成も、本発明の範囲に含まれる。
【００４１】
台座部６は、顎ガード４の引き下げ位置から持ち上げ位置までの全回転範囲にわたって、顎ガード４と一体になったフォロワ３を受容するように形成されており、かつ、フォロワ３に対して少なくとも１つの上方ストローク面、すなわちフォロワ３、したがって顎ガード４に対して、上方リミットストップとして働く上方リミットストップ面６ａを提供するように形成されている。
【００４２】
台座部６には、抑止部材１のボディ1.2から内側に突き出た小さなピン８をスライド可能に受けるための円弧状ガイド７が形成されている。円弧状ガイド７は、抑止部材１の回転に対する上方リミットストップ、および下方リミットストップを定めている。したがって、抑止部材１の運動は、必ずしも、台座部６の壁のみによって制限されるわけではない。
【００４３】
上述のように、顎ガードの回転中心Ｃ２のまわりに、フォロワ３によって描かれる円軌道は、抑止部材１がとっている位置に応じて、抑止部材１のボディ1.2の側面の表面部分ＡまたはＢと交差するか、または接する。表面部分ＡおよびＢは、持ち上げ位置にある顎ガード４の、シェル５への投影上に、またはその近傍に位置している。
【００４４】
より詳細には、フォロワ３は、顎ガード４と一体の回転運動において、台座部６の上部の側壁６ｂ（基本的にガイドとして働く）、および抑止部材１のボディ1.2の外側側壁によってガイドされる。
【００４５】
すなわち、本発明の実施形態においては、フォロワ３によって描かれる円軌道は、フォロワ３の運動の大部分において、抑止部材１のボディ1.2に接し、かつボディ1.2の上部が特殊な形状を有しているために、フォロワ３が、上方リミットストップ面６ａの位置、またはその近傍の位置に達しており（すなわち、顎ガード４が持ち上げ位置に、またはその近傍に達しており）、かつ抑止部材１が台座部６内の定められた位置に達しているときに、より適切に表現すると、位置しているときに、ボディ1.2の上述の表面部分ＡまたはＢと係合する場合に、フォロワ３の軌道は、それらの表面部分ＡまたはＢと交差する。
【００４６】
図示のように、顎ガード４が持ち上げ位置の近傍、または持ち上げ位置にあるときのフォロワ３の運動中に、抑止部材１が、タイミングよく、フォロワ３の運動を止めるための適切な位置、すなわち、フォロワ３が、抑止部材１の表面部分Ａと、台座部６の上方リミットストップ面６ａとの間に拘束される位置に位置するか、または抑止部材１の表面部分Ｂと、台座部６の上方リミットストップ面６ａとの間に拘束される位置に位置する（それぞれ図６および図７を参照）場合に限り、フォロワ３は、表面部分ＡまたはＢに係合することができる。
【００４７】
本発明の一態様による、図示されている安全ヘルメットは、さらに、設計ステップにおいてあらかじめ定められた角度範囲内でしか、またはあらかじめ定められた回転方向内でしか回転することができないようにするために、抑止部材１を、定められた位置に固定するか、または抑止部材１の運動を制限するのに特に適している、抑止部材１の位置、および／または運動の手動調節手段２を備えている。
【００４８】
図示の例においては、この手動調節手段２は、作動レバーの形態の制御部材2.2、および復帰ばね2.4と協働して、抑止部材１を制御するのに適するストライカ2.1を備える、回転中心Ｃ２でヒンジされている回転可能なディスク2.5から成っている。具体的には、ディスク2.5から内側に突き出ているストライカ2.1は、抑止部材１を回転させることができ、および／または、取っている位置に応じて、抑止部材１の、一方または他方の方向への自由回転を防止することができるように、抑止部材１のボディ1.2に形成された、適切な形状のガイド1.1に係合している。
【００４９】
扇形の台座部９のくぼみ内に配置された、作動レバーの形態の制御部材2.2をユーザが操作することによって、ディスク2.5と一体のストライカ2.1の、回転中心Ｃ２のまわりの回転が引き起こされ、それによって、ストライカ2.1がガイド1.1の対応する内壁に係合するために、抑止部材１の回転が引き起こされることは明らかである。
【００５０】
シェル５と抑止部材１のボディ1.2との間に配置されている復帰ばね2.4（可撓性の線ばねであることが好ましい）は、さらに、抑止部材１を、設計段階において定められた初期位置に復帰させるように、したがって、抑止部材１のボディ1.2の、実行されている回転方向の回転に抗するように形成されている。
【００５１】
本発明の実施形態においては、このような復帰ばね2.4は、抑止部材１の上部（すなわち、上述の表面部分ＡおよびＢを有する領域部分）が、ヘルメットの前面開口部に向かって、すなわち後述するように、フォロワ３、したがって顎ガード４の安定したロッキングが生じる、抑止部材１の位置に向かって、回転中心Ｃ１のまわりに再回転するような（添付図面においては時計回りに）力を、回転中心Ｃ１においてヒンジされている抑止部材１に作用する。
【００５２】
本発明の実施形態においては、ディスク2.5の回転中心Ｃ２は、顎ガード４の回転中心と一致し、かつ抑止部材１の回転中心Ｃ１から距離を置いて配置されている。しかしながら、ディスク2.5の回転中心が、抑止部材１の回転中心と一致しているか、または、さらに、ディスク2.5および抑止部材１の回転中心が、顎ガード４の回転中心とも一致している、任意の他の実施形態も可能である。さらに、手動調節手段２が回転可能なタイプではなく、例えば抑止部材１の運動を制限し、および／または抑止部材１を適切な位置に配置することができる適切なカーソルから成っている実施形態も可能である。
【００５３】
図示の手動調節手段２は、さらに、シェル５から一体的に突き出ているペグ5.1が滑り嵌合している溝スロット2.3を有している（図２を参照）。溝スロット2.3は、ペグ5.1に、弾性変形可能な領域によって隔てられた２つの安定した終端位置を与えるように形成されている。この弾性変形可能な領域は、ペグ5.1を、溝スロット2.3の２つの安定した終端位置のいずれか一方に位置させるように形成されている。
【００５４】
溝スロット2.3、およびシェル５のペグ5.1は、扇形の形状を有する台座部９の幾何形状によって定められる２つのリミットストップ位置のいずれか一方だけに、制御部材2.2を安定に到達させておき、制御部材2.2、したがってストライカ2.1が、それぞれに対する２つのリミットストップ位置の間の中間位置に位置することを防止する。
【００５５】
本発明によれば、特に図３および図６に示すように、持ち上げ位置における顎ガード４の、シェル５への解除可能なロッキングは、抑止部材１のボディ1.2の上部の上述の少なくとも１つの表面部分Ａと、フォロワ３が備えている相補的な接触面との間の、固定部分と協働しての係合結合によって確実にされる。より詳細に後述するように、このような解除可能なロッキングは、ユーザが、抑止部材１の位置、および／または運動の手動調節手段２を用いて、抑止部材１を、フォロワ３の軌道が表面部分Ａと交差するような位置に配置したときに生じる。このとき、表面部分Ａは、フォロワ３を強く抑止し、また、手動調節手段２は、固定部分と協働して、抑止部材１がフォロワ３に対するそのような安定なロッキング位置から動くことを防止するようになっている。
【００５６】
持ち上げ位置において、フォロワ３と抑止部材１とのそれぞれが、顎ガードと適切な相互配置にあるとき、そのようなロッキング位置においては、抑止部材１の位置、および／または運動の手動調節手段２によって、フォロワ３が、抑止部材１に安定よく保持される。より適切に表現すると、手動調節手段２によって、フォロワ３の軌道が抑止部材１の表面部分Ａから自由になるような方向へ、抑止部材１が回転（図３および図６においては時計回りの方向の）するのが防止されるから、このような位置関係の場合には、表面部分Ａの形状、およびフォロワ３に相対的な表面部分Ａの幾何配置（すなわち、表面部分Ａがフォロワ３の軌道と交差していること）によって、抑止部材１は、固定部分と協働して、フォロワ３をロックすることができる。
【００５７】
より詳細に述べると、この安定ロッキング位置においては、手動調節手段２によって、抑止部材１は、その表面部分Ａがフォロワ３の軌道と交差する位置に配置されている。すなわち、フォロワ３は、そのリミットストップ位置に到達すると、ガイドとして働く側壁６ｂの上方リミットストップ面６ａと、抑止部材１の表面部分Ａとの間に配置され（一定のクリアランスを有して）、一方、手動調節手段２は、抑止部材１が、フォロワ３と脱係合するように回転する（図３および図６においては時計回りの方向に）ことを防止する。
【００５８】
本発明の実施形態においては、特に図３および図６に示すように、抑止部材１が、顎ガード４の安定ロッキング位置にあるとき、固定部分との協働によって、フォロワ３が表面部分Ａに係合しているために、抑止部材１の表面部分Ａは、傾くとすれば、顎ガード４を閉じさせる方向（図３においては反時計回りの方向）のフォロワ３のいかなる動きによっても、抑止部材１が反時計回りに回転させられるように傾く。しかしながら、このような抑止部材１の反時計回りの回転は、手動調整手段２のストライカ2.1が抑止部材１のガイド1.1の内部にあるために、また小さなピン８が、円弧状ガイド７のリミットストップに到達しているために、さらに、仮に抑止部材１が反時計回りに回転すると仮定すると、抑止部材１が台座部６の側壁６ｂに接するために防止される。
【００５９】
前述のように、本発明の好適な一態様によれば、抑止部材１のボディ1.2の上部、すなわち、回転中心Ｃ1と反対側の抑止部材１の部分は、さらに、手動調整手段２の作用によって、フォロワ３を安定良く支持することはないように、フォロワ３の軌道と交差しうるように形成され、かつ配置されている第２の表面部分Ｂを有している。このような不安定な係合位置において、手動調整手段２は、復帰ばね2.4の作用を介して、抑止部材１を一時的に係合状態に保つ。
【００６０】
より具体的には、図４および図７から理解されるように、フォロワ３のこのような不安定係合位置においては、抑止部材１および手動調節手段２の特定の配置のために、フォロワ３は、一定のクリアランスを有し、台座部６の上方リミットストップ面６ａと、抑止部材１のボディ1.2の表面部分Ｂによって与えられる支持部との間に位置し、抑止部材１は、このような不安定係合位置に保たれる。表面部分Ｂは、抑止部材１の回転（図４および図７においては時計回りの方向の）に抗する復帰ばね2.4の作用だけを受けて、フォロワ３の軌道の下降部分と辛うじて交差する。この抑止部材１の回転が生じると、フォロワ３の軌道は拘束されなくなり、その結果、フォロワ３の脱係合が起こる。
【００６１】
本発明の実施形態においては、表面部分Ｂの上述の形状、台座部６およびフォロワ３に相対的な表面部分Ｂの上述の配置、および手動調節手段２が、表面部分Ｂを、フォロワ３を受け入れる位置に弾性的にしか保たない（復帰ばね2.4を介して）ため、フォロワ３は、表面部分Ｂ上に、外力の影響を受けやすく支持されるだけである。
【００６２】
より詳細には、手動調節手段２が、抑止部材１を、その不安定係合位置に位置させたとき（図４および図７に示されている）、フォロワ３が、上方リミットストップ面６ａと表面部分Ｂとの間に位置すると、フォロワ３の軌道と交差して、フォロワ３を、外力の影響を受けやすく支持する表面部分Ｂは、顎ガード４を閉じさせる方向（図４および図７においては反時計回りの方向）のフォロワ３の回転運動が生じると、フォロワ３と表面部分Ｂとが接しているために、抑止部材１の反対方向（時計回りの方向）の回転がもたらされるような傾きに達する。しかしながら、このような回転は、実際には、シェル５と抑止部材１との間に挿入されている復帰ばね2.4によって、相当に妨げられる。
【００６３】
顎ガード４を閉じさせる方向（図４および図７においては反時計回りの方向）にフォロワ３を回転させる力が、復帰ばね2.4による逆向きの力を上回った場合には、手動調節手段２は、抑止部材１が回転する（図４および図７においては時計回りの）ことを可能にする。それによって、フォロワ３は、表面部分Ｂから離脱して、ガイドとして働く側壁６ｂに沿って動き続け、最終的に、抑止部材１のボディ1.2の側部に静止する。
【００６４】
さらに、本発明の実施形態において、顎ガード４の持ち上げ中のフォロワ３の運動を考えると、表面部分Ｂは表面部分Ａの直前に存在し、フォロワ３の回転運動において、前述のように、表面部分Ｂに先立って、抑止部材１の側部がフォロワ３のガイドとして働き、抑止部材１は、復帰ばね2.4の作用によって、フォロワ３に押し付けられることに注意されたい。
【００６５】
当業者にとっては明らかなように、フォロワ３の、外力の影響を受けやすい支持を行うことができる任意の他の手段も、本発明の範囲に含まれる。そのような手段として、例えば表面部分Ｂから突き出た弾性的なレリーフを設けること、または、抑止部材１とフォロワ３との一定の相互空間配置において、抑止部材１によるフォロワ３の不安定な（外力の影響を受けやすい）支持が生じるような、フォロワ３の表面と相補的な幾何形状を有する表面部分Ｂを設けるなどの弾性的な手段が好ましいが、これらに限られるものではない。
【００６６】
本発明の実施形態においては、抑止部材１は、シェル５にヒンジされており、フォロワ３は顎ガード４と一体であるが、より困難であるとしても、抑止部材１が、少なくとも１つの自由度を有して顎ガード４に拘束されており、かつフォロワ３が、安全ヘルメットのシェル５と一体である、顎ガード４を持ち上げ位置に解除可能にロックするための装置を実現することが得ることは明らかであることに留意されたい。
【００６７】
さらに、シェル５の両側部で釣り合いが取れるように、シェル５の一方の側部には、顎ガード４を持ち上げ位置に、解除可能にロックするロッキング装置を配置し、シェル５の他方の側部には、別のロッキング装置、もしくは同様のロッキング装置、または持ち上げ位置への顎ガード４の維持を助ける補助装置を配置していてもよい。
【００６８】
本発明の好適な一実施形態にしたがって、特に図２〜図４、図６、図７を参照しながら、以下に、顎ガードを持ち上げ位置に解除可能にロックするロッキング装置の動作を、より詳細について説明する。
【００６９】
最初に、手動調節手段２の制御部材2.2が、ユーザによって、対応する台座部９のくぼみ内で、持ち上げ位置への顎ガード４の安定なロッキングが得られるリミットストップ位置に配置されている状態（図３および図６）を考えると、抑止部材１は、その上部の表面部分Ａ（回転中心Ｃ1の反対側の）が、顎ガード４と一体のフォロワ３の軌道と交差し、かつフォロワ３のための台座部６の上方リミットストップ面６ａに実質的に向き合う位置をとるように配置されている。
【００７０】
このような配置においては、手動調節手段２のストライカ2.1は、対応するリミットストップ位置で、シェル５の円弧状ガイド７の内部に係合している小さなピン８と協働し、ヘルメットの前面開口部に向かっての、抑止部材１のいかなるさらなる回転（図３および図６においては反時計回りの）も防止するが、抑止部材１の反対方向の回転（図３および図６においては時計回りの）を妨害しない位置で、抑止部材１のボディ1.2のガイド1.1と係合している。
【００７１】
ユーザの顔を保護するために、顎ガード４が、完全に引き下げられた位置にある場合には、フォロワ３は、台座部６のくぼみ内で、台座部６の側壁６ｂ、および抑止部材１の回転中心Ｃ1に隣接して位置する、抑止部材１のボディ1.2の側面に接するように配置されている。
【００７２】
抑止部材１が、手動調節手段２によって、図３および図６に示されている安定ロッキング位置に配置されており、かつフォロワ３が、回転中心Ｃ1の近傍において、台座部６のくぼみ内に配置されている場合には、顎ガード４を持ち上げるための、顎ガード４の回転によって、台座部６の側壁６ｂによって構成されるガイド内の、フォロワ３の対応する回転と、それに伴って必然的に引き起こされる、回転中心Ｃ1のまわりの、ヘルメットの前面開口部から遠ざかる方向（すなわち、図３および図６においては時計回りの方向）の、抑止部材１の若干の回転運動とが生じる。この抑止部材１の回転運動は、フォロワ３が、復帰ばね2.4（図３および図６には図示せず）の作用によって妨げられながら、台座部６のくぼみ内を通過することを可能にするために必要である。
【００７３】
顎ガード４が持ち上げ位置に到達すると、フォロワ３は、図３および図６に示されている位置、すなわち、上方リミットストップ面６ａと、抑止部材１の上部の表面部分Ａとの間に挟まれた位置に到達する。フォロワ３が表面部分Ｂを通過して、実質的に上方リミットストップ面６ａに位置しているとき、抑止部材１は、復帰ばね2.4の作用によって、この位置に押し込められている。
【００７４】
この配置においては、前述のように、表面部分Ａは、フォロワ３の軌道と交差しており、固定部分と協働して、顎ガード４を引き下げる方向の、フォロワ３のいかなる回転も防止する。
【００７５】
事実、表面部分Ａの幾何形状、およびフォロワ３の軌道に相対的な表面部分Ａの配置は、顎ガード４を引き下げる方向（図３において反時計回りの方向）の、顎ガード４に働くいかなる力も、表面部分Ａ上にフォロワ３を静止させるように働くように構成されている。したがって、そのような方向のいかなるスラストも、同じ方向（すなわち、反時計回りの方向）を向く、抑止部材１への回転スラストに変換される。
【００７６】
しかし、抑止部材１に作用するこのような回転スラスト（反時計回りの）があったとしても、ピン８がリミットストップにおいて、円弧状ガイド７に係合していること、およびストライカ2.1がガイド1.1に係合していること、また万一の場合には、抑止部材１の側面が、台座部６の側壁６ｂに当接することによって、このような回転スラストの効果を安定して防除することができる。
【００７７】
このような安定ロッキング位置においては、顎ガード４と一体のフォロワ３は、上方リミットストップ面６ａおよび抑止部材１の表面部分Ａとの間に一定のクリアランスを有しているにもかかわらず、固定部分との協働によって表面部分Ａを超えることはないから、顎ガード４は、その引き下げ位置に戻ることはできない。
【００７８】
顎ガード４を、このような安定ロッキング位置から解除するためには、必然的に、顎ガード４の持ち上げ位置において、フォロワ３が表面部分Ａによってもはや保持されなくなるが、外力の影響を受けやすい支持を与える表面部分Ｂによって保持される、すなわち、フォロワ３が上方リミットストップ面６ａと表面部分Ｂとの間に位置するような位置に抑止部材１を配置するように、抑止部材１に力を及ぼす（ストライカ2.1とガイド1.1との間の相互作用によって）べく、ユーザは、制御部材2.2を作用させなければならない。
【００７９】
したがって、ユーザが、制御部材2.2を、対応する台座部９のくぼみ内で、第２のリミットストップ位置（図４および図７に示されている）に移動させるように、制御部材2.2を作用させることによって、ストライカ2.1が回転中心Ｃ２のまわりに回転する。そうすると、ストライカ2.1は、復帰ばね2.4によって及ぼされる力に打ち勝って、抑止部材１を、回転中心Ｃ１のまわりに、ヘルメットの前面開口部から離れる方向に、すなわち、図４および図７において時計回り方向に回転させる。
【００８０】
シェル５と一体のペグ5.1が、ディスク2.5の弾性的な溝スロット2.3の内部に係合しているから、制御部材2.2すなわち作動レバーは、対応する台座部９のくぼみ内で、そのリミットストップ位置に留まることができることに留意されたい。
【００８１】
さらに、このような配置においては、フォロワ３と上方リミットストップ面６ａと抑止部材１の表面部分Ｂとの間にクリアランスが存在するために、抑止部材１は、復帰ばね2.4によって及ぼされる力に打ち勝てば、もはやリミットストップ位置に拘束されることはなく、それどころか、さらに回転することができる（図４および図７においては、時計回り方向に）。
【００８２】
前述のように、解除可能なロッキングを行う、本発明によるロッキング装置を構成している部品のこのような配置における、抑止部材１の表面部分Ｂの、フォロワ３と相対的な傾き、および空間配置は、フォロワ３に作用し、かつ顎ガード４を引き下げる方向（図４および図７においては反時計回りの方向）を向くいかなるスラストも、フォロワ３が表面部分Ｂ上に外力の影響を受けやすく支持されているために、抑止部材１に働く反対方向（図４および図７においては時計回りの方向）のスラストを発生させるような傾きおよび空間配置である。
【００８３】
そのような時計回りの方向のスラストは、手動調節手段２によって定められている配置のゆえに、実質的に、復帰ばね2.4によって抗されるだけであり、したがって、そのスラストの大きさは、フォロワ３が、表面部分Ｂから脱係合して、抑止部材１の回転中心Ｃ1の近傍に位置するまで、ガイドとなる側壁６ｂに沿って移動し、それによって、顎ガード４を引き下げることができるほどに、復帰ばね2.4によって及ぼされる復帰力を上回ることは十分にあり得る。
【００８４】
フォロワ３が、回転中心Ｃ１の近傍の位置に到達しており、かつ手動調節手段２が、図４および図７に示されている不安定係合位置にとどまっている場合には、その後に、顎ガード４が持ち上げられると、最初に、復帰ばね2.4によって及ぼされる力に抗しながらの、ヘルメットの前面開口部から遠ざかる抑止部材１のわずかの回転（図４および図７において反時計回りの方向の）を必然的に伴いながら、フォロワ３は、台座部６のくぼみ内を上方（図において）に移動し、次いで、フォロワ３は、台座部６の上方リミットストップ面６ａと、抑止部材１の表面部分Ｂとの間に位置するリミットストップ位置にもたらされる。
【００８５】
この場合には、前述のように、復帰ばね2.4は、フォロワ３および顎ガード４の回転（図４において反時計回りの方向の）に抗するだけであるから、表面部分Ｂに支持されているフォロワ３は、外力の影響を受けやすい。
【００８６】
持ち上げ位置において、フォロワ３、したがって顎ガード４が到達しているこの不安定係合位置から、ユーザが、顎ガード４を安定してロックしようとする場合には、制御部材2.2を、反対側のリミットストップ位置に向かって回転させることによって、ストライカ2.1が、抑止部材１のボディ1.2の反時計回り（図４および図７において）の回転を可能にするガイド1.1内の位置、すなわち、フォロワ３を安定してロックするのに適した位置に達するまで、ガイド1.1内で回転する（図４および図７において下方に）。
【００８７】
この時点において、回転中心Ｃ１のまわりに回転するように、抑止部材１に反時計回りの力を加えようとする復帰ばね2.4、およびフォロワ３と抑止部材１の上部との間に存在するクリアランスの作用により、本発明によるロッキング装置を構成している部品は、フォロワ３の移動、したがって顎ガード４の引き下げが不可能な、図３および図６に示されている安定ロッキング位置に戻る。
【００８８】
上述から明らかなように、抑止部材１の運動、および／または位置の手動調節手段２を操作することによって、顎ガード４を、顎ガード４の持ち上げ運動の最後に、フォロワ３を抑止部材１の表面部分Ａに係合させ、固定部分と協働して、顎ガード４の引き下げを阻止する安定ロッキング位置に配置するか、またはそうではなくて、顎ガード４の持ち上げの直後に、フォロワ３を表面部分Ｂに係合させて、顎ガード４の引き下げに弾性的に抗するだけの不安定係合位置に配置することができる。
【符号の説明】
【００８９】
１  抑止部材
1.1  ガイド
1.2  ボディ
２  手動調節手段
2.1  ストライカ
2.2  制御部材
2.3  溝スロット
2.4  復帰ばね
2.5  ディスク
３  フォロワ
４  顎ガード
５  シェル
5.1  ペグ
６  台座部
６ａ  上方リミットストップ面
６ｂ  側壁
７  円弧状ガイド
８  ピン
９  台座部
１０  バイザー
Ａ、Ｂ  表面部分
Ｃ１、Ｃ２、Ｃ３  回転中心
【図１】
0005645212.tif 000002
【図２】
0005645212.tif 000003
【図３】
0005645212.tif 000004
【図４】
0005645212.tif 000005
【図５ａ】
0005645212.tif 000006
【図５ｂ】
0005645212.tif 000007
【図６】
0005645212.tif 000008
【図７】
0005645212.tif 000009